(57)【要約】【課題】  簡単な操作でインスツルメントを確実に保持することができ、かつ、雑菌が付着した部品のみを取り外して交換および消毒することができて、特に、歯科治療用インスツルメントに適した非常に衛生的な保持具を提供すること。【解決手段】  治療に用いるインスツルメントＡを保持するための用具であって、インスツルメントＡをホールド部材１の載置台13上に載置したときは、当該載置台13の押し下げ操作に連動して連結板体12が下に反曲下降してアーム部材11・11が閉口することによってインスツルメントＡを掴持可能である一方、インスツルメントＡを持ち上げてアーム部材11・11を押し拡げるとき、連結板体12が上に反曲隆起して、インスツルメントＡを取り出すことができるようにするという技術的手段を採用した。【選択図】  図１
2006068261.tif 000002
【特許請求の範囲】
【請求項１】
治療に用いるインスツルメントＡを保持するための用具であって、
ホールド部材１は、一対の弯曲アーム11・11が連結板体12で連結され、この連結板体12の上面に前記インスツルメントＡのグリップ部が載置される載置台13が配設されて成り、前記各弯曲アーム11の外側背面には外溝11ａが形成され、この外溝11ａに弓形の添え木部材２が嵌着して剛性が付与されている一方、
ベース台座３の上面には角状のソケット部31が突設され、このソケット部31の両端にそれぞれ形成された袋部31ａ・31ａにおいて、前記ホールド部材１は脱着交換自在であって、前記連結板体12を撓曲付勢した状態で、前記添え木部材２の各嵌合突起21・21がそれぞれ掛合され、かつ、当該袋部31ａの内側曲面にそれぞれ摺接可能に嵌装されるとともに、
前記インスツルメントＡを前記載置台13上に載置したときは、当該載置台13の押し下げ操作に連動して連結板体12が下に反曲下降してアーム部材11・11が閉口することによってインスツルメントＡを掴持可能である一方、
インスツルメントＡを持ち上げてアーム部材11・11を押し拡げるとき、連結板体12が上に反曲隆起して、インスツルメントＡを取り出すことができることを特徴とする治療用インスツルメント保持具。
【請求項２】
ホールド部材１の載置台13の上面にガイド凹溝13ａが形成されていることを特徴とする請求項１記載の治療用インスツルメント保持具。
【請求項３】
ホールド部材１が弾性軟質ゴムで一体に成形されていることを特徴とする請求項１または２記載の治療用インスツルメント保持具。
【発明の詳細な説明】
【技術分野】
【０００１】
本発明は、治療用具の改良、更に詳しくは、簡単な操作でインスツルメントを確実に保持することができ、かつ、雑菌が付着した部品のみを取り外して交換および消毒することができて、特に、歯科治療用インスツルメントに適した非常に衛生的な保持具に関するものである。
【背景技術】
【０００２】
周知のとおり、歯科治療等においては、複数のインスツルメント（治療器具）を頻繁に持ち替えるので、手際よく行えるように、不使用のインスツルメントを一時的に仮置きするための保持具が必要である。
【０００３】
従来、かかる保持具として、インスツルメントのグリップ部を貫通孔に差し込んで保持するものが開示されている（例えば、特許文献１参照）。しかしながら、かかる形状のものでは、インスツルメントを取り出す際に、取出口にホースが引っ掛かるおそれがあり、非常に使い勝手が悪いという不満がある。
【０００４】
かと言って、インスツルメントを保持具に収納せずに、作業台に上などに無造作に仮置きしてしまうと、患者の口中に入れる先端のヘッド部分が周囲に接触して雑菌が付着してしまうおそれがあり、衛生上問題がある。
【０００５】
更に、従来の保持具は、治療により雑菌が付着したインスツルメントが接触するにもかかわらず、その接触部分を取り外すことができないため、隅々まで清掃や消毒することが困難であり、拭き取り程度の清掃では雑菌などを完全に除去しきれず、これまた衛生上問題がある。
【特許文献１】特開２０００−２８８０４３号公報  （第３−５頁、図１−３）
【発明の開示】
【発明が解決しようとする課題】
【０００６】
本発明は、従来のインスツルメントの保持具に上記のような問題があったことに鑑みて為されたものであり、その目的とするところは、簡単な操作でインスツルメントを確実に保持することができ、かつ、雑菌が付着した部品のみを取り外して交換および消毒することができて、特に、歯科治療用インスツルメントに適した非常に衛生的な保持具を提供することにある。
【課題を解決するための手段】
【０００７】
本発明者が上記課題を解決するために採用した手段を添付図面を参照して説明すれば次のとおりである。
【０００８】
即ち、本発明は、治療に用いるインスツルメントＡを保持するための用具であって、
ホールド部材１は、一対の弯曲アーム11・11が連結板体12で連結され、この連結板体12の上面に前記インスツルメントＡのグリップ部が載置される載置台13が配設されて成り、前記各弯曲アーム11の外側背面には外溝11ａが形成され、この外溝11ａに弓形の添え木部材２が嵌着して剛性が付与されている一方、
ベース台座３の上面には角状のソケット部31が突設され、このソケット部31の両端にそれぞれ形成された袋部31ａ・31ａにおいて、前記ホールド部材１は脱着交換自在であって、前記連結板体12を撓曲付勢した状態で、前記添え木部材２の各嵌合突起21・21がそれぞれ掛合され、かつ、当該袋部31ａの内側曲面にそれぞれ摺接可能に嵌装されるとともに、
前記インスツルメントＡを前記載置台13上に載置したときは、当該載置台13の押し下げ操作に連動して連結板体12が下に反曲下降してアーム部材11・11が閉口することによってインスツルメントＡを掴持可能である一方、
インスツルメントＡを持ち上げてアーム部材11・11を押し拡げるとき、連結板体12が上に反曲隆起して、インスツルメントＡを取り出すことができるようにするという技術的手段を採用した。
【０００９】
また、本発明は、上記課題を解決するために、必要に応じて上記手段に加え、ホールド部材１の載置台13の上面にガイド凹溝13ａを形成するという技術的手段を採用した。
【００１０】
更にまた、本発明は、上記課題を解決するために、必要に応じて上記手段に加え、ホールド部材１を弾性軟質ゴムで一体に成形するという技術的手段を採用した。
【発明の効果】
【００１１】
本発明の保持具にあっては、本体がコンパクトで、大がかりな設備が不要で嵩張らず、弾性反曲可能な連結板体で連結し、トッグル機構を巧みに利用して構成したことにより、固定解除操作が簡単で、非常に使い勝手が良く、インスツルメントの持ち替えを手際よく行うことができて骨などの研削治療などの作業効率性が向上する。
【００１２】
また、治療に使用して雑菌が付着したインスツルメントが接触した部品のみを取り外して交換および消毒することができるので、非常に衛生的であることから、治療用具における実用的利用価値は頗る高いと云える。
【発明を実施するための最良の形態】
【００１３】
本発明の実施形態を具体的に図示した図面に基いて更に詳細に説明すると次のとおりである。
【００１４】
本発明の実施形態における保持具を図１から図６に基いて説明する。図中、符号１で指示するものはホールド部材であり、このホールド部材１は、一対の弯曲アーム11・11が連結板体12で連結され、この連結板体12の上面に前記インスツルメントＡのグリップ部が載置される載置台13が配設されて構成されている。なお、本実施形態では、ホールド部材１を耐熱シリコン材で作製するとともに、載置台13の上面にガイド凹溝13ａを形成することによって、インスツルメントＡのグリップ部を確実に位置決めして定置させることができる。
【００１５】
また、符号２で指示するものは添え木部材であり、この添え木部材２は、弓形に形成され、前記ホールド部材１の各弯曲アーム11の外側背面に形成された外溝11ａに嵌着して剛性を付与する。本実施形態では、ポリエーテルイミド（ＰＥＩ）、ポリフェニレンサルファイド（ＰＰＳ）、ポリフェニルサルフォン（ＰＰＳＵ）、ポリエーテルエーテルケトン（ＰＥＥＫ）、ポリプロピレン（ＰＰ）やポリエチレン（ＰＥ）、ポリエチレンテレフタレート（ＰＥＴ）などのプラスチック材料で作製する。
【００１６】
更にまた、符号３で指示するものはベース台座であり、このベース台座３は、上面には角状のソケット部31が突設され、このソケット部31の両端には、袋部31ａ・31ａそれぞれ形成されている。
【００１７】
しかして、本発明における保持具は、治療に用いるインスツルメントＡを保持するための用具であって、構成するにあっては、まず、前記ホールド部材１の各弯曲アーム11の外側背面に形成された外溝11ａに弓形の添え木部材２を嵌着する（図２参照）。こうすることにより、ホールド部材１が弾性軟質ゴム製であっても、前記弯曲アーム11に剛性を付与することができる。
【００１８】
次に、ベース台座３の上面には角状のソケット部31を突設し、このソケット部31の両端にそれぞれ形成された袋部31ａ・31ａに、前記連結板体12を撓曲付勢した状態で、前記添え木部材２の各嵌合突起21・21をそれぞれ掛合して、かつ、当該袋部31ａの内側曲面にそれぞれ摺接可能に嵌装する（図３参照）。このように、前記ホールド部材１は脱着交換が自在である。
【００１９】
そして、こうして構成された保持具にあっては、前記インスツルメントＡを前記載置台13上に載置したときは、当該載置台13の押し下げ操作に連動して連結板体12が下に反曲下降してアーム部材11・11が閉口することにより、インスツルメントＡを掴持可能である（図４参照）。
【００２０】
一方、インスツルメントＡを持ち上げてアーム部材11・11を押し拡げるときは、連結板体12が上に反曲隆起して、当該インスツルメントＡを小さな力で簡単に取り出すことができる（図５参照）。
【００２１】
このように、本実施形態の保持具は、前記ホールド部材１の連結板体12を屈曲付勢状態でベース台座３のソケット部31の角部材間に嵌装したことによって、上下何れかに反曲せしめることにより、所謂、トッグル機構を巧みに利用している点に技術的特徴を有するのである。
【００２２】
また、本実施形態では、ホールド部材１を弾性軟質ゴムで一体に成形することができ、成形性が良く、大量生産にも適しているとともに、インスツルメントＡを滑らず確実に掴持することができる。
【００２３】
本発明は、概ね上記のように構成されるが、本発明は図示の実施形態に限定されるものでは決してなく、「特許請求の範囲」の記載内において種々の変更が可能であって、例えば、ホールド部材１の弯曲アーム11の内側面に突起を形成したり、別部材などの滑り止め手段を適宜配設することができる。
【００２４】
また、添え木部材２は上述したものに限らず、エンジニアリングプラスチックなどのその他のプラスチック材料や、または金属材料などを採用して剛性を付与することもでき、何れのものも本発明の技術的範囲に属する。
【図面の簡単な説明】
【００２５】
【図１】本発明の実施形態における保持具を表わす全体斜視図である。
【図２】本発明の実施形態における保持具を表わす分解斜視図である。
【図３】本発明の実施形態における保持具を表わす分解正面図である。
【図４】本発明の実施形態における保持具を表わす全体正面図である。
【図５】本発明の実施形態における保持具を表わす全体正面図である。
【図６】本発明の実施形態における保持具の使用状態を表わす斜視図である。
【符号の説明】
【００２６】
１    ホールド部材
11    弯曲アーム
11ａ  外溝
12    連結板体
13    載置台
13ａ  ガイド凹溝
２    添え木部材
３    ベース台座
31    ソケット部
31ａ  袋部
Ａ    インスツルメント
【図１】
2006068261.tif 000003
【図２】
2006068261.tif 000004
【図３】
2006068261.tif 000005
【図４】
2006068261.tif 000006
【図５】
2006068261.tif 000007
【図６】
2006068261.tif 000008